(57)【要約】【課題】品質を落とすことなく低コストで容易に製造できるシールド電線及びシールド電線の製造方法を提供する。【解決手段】シールド電線１１は、絶縁被覆されたコア電線１３及び導体２５が露出したドレン線１５と、コア電線１３及びドレン線１５に縦添えされ、外側に絶縁層が形成され導体面２９となる内面同士を向き合わせるようにしてコア電線１３及びドレン線１５を包み、長手方向両端のみがコア電線１３及びドレン線１５に固定されてコア電線１３及びドレン線１５と共にツイストされたシールドテープ１７と、を備える。【選択図】図１
2015079665.tif 000002
【特許請求の範囲】
【請求項１】
絶縁被覆されたコア電線及び導体が露出したドレン線と、
前記コア電線及び前記ドレン線に縦添えされ、外側に絶縁層が形成され導体面となる内面同士を向き合わせるようにして前記コア電線及び前記ドレン線を包み、長手方向両端のみが前記コア電線及び前記ドレン線に固定されて前記コア電線及び前記ドレン線と共にツイストされたシールドテープと、
を備えることを特徴とするシールド電線。
【請求項２】
前記ドレン線が、前記シールドテープとツイストされる前に前記コア電線に予め巻き付けられていることを特徴とする請求項１に記載のシールド電線。
【請求項３】
前記ドレン線が、前記シールドテープとツイストされる前に前記コア電線と予めツイストされていることを特徴とする請求項１に記載のシールド電線。
【請求項４】
絶縁被覆された複数のコア電線及び導体が露出したドレン線と、
ツイストされた前記複数のコア電線と前記ドレン線とに縦添えされ、外側に絶縁層が形成され導体面となる内面同士を向き合わせるようにして前記複数のコア電線及び前記ドレン線を包み、長手方向両端のみが前記複数のコア電線及び前記ドレン線に固定されて前記複数のコア電線のツイストの撚り戻りがキャンセルされるまで前記複数のコア電線及び前記ドレン線と共に前記複数のコア電線のツイスト撚り戻し方向にツイストされたシールドテープと、
を備えることを特徴とするシールド電線。
【請求項５】
絶縁被覆されたコア電線及び導体が露出したドレン線がツイストされ、
前記コア電線及び前記ドレン線に縦添えされ、外側に絶縁層が形成され導体面となる内面同士を向き合わせるようにして前記コア電線及び前記ドレン線を包み、長手方向両端のみが前記コア電線及び前記ドレン線に固定されて前記コア電線及び前記ドレン線と共に更にツイストされたシールドテープと、
を備えることを特徴とするシールド電線。
【請求項６】
絶縁被覆されたコア電線に導体が露出したドレン線を添える工程と、
外側に絶縁層が形成され内面が導体面となるシールドテープを前記コア電線及び前記ドレン線に縦添えする工程と、
前記シールドテープの内面同士を向き合わせるようにして前記コア電線及び前記ドレン線を包む工程と、
前記コア電線及び前記ドレン線と共に前記シールドテープの長手方向両端を固定してツイストする工程と、
を有することを特徴とするシールド電線の製造方法。
【発明の詳細な説明】
【技術分野】
【０００１】
本発明は、シールド電線及びシールド電線の製造方法に関する。
【背景技術】
【０００２】
既存のワイヤーハーネスにおける電磁ノイズからの保護対策として、アルミ箔や銅箔等のシールドテープで被誘導ノイズ及び起誘導ノイズを遮蔽する方法が一般的に用いられている（例えば特許文献１参照）。
このような保護対策が施されたシールド線５０１は、図７（Ａ）〜（Ｄ）に示すように、芯線５０３を絶縁樹脂層５０５で被覆したコア線５０７と、１本のドレン線５０９と、コア線５０７とドレン線５０９の外周長さの加算値よりも幅広とした金属箔テープからなるシールドテープ５１１と、絶縁樹脂テープ５１３とからなる。コア線５０７とドレン線５０９とは、シールドテープ５１１を挟んだ状態でツイストされている。コア線５０７とドレン線５０９の外周には、ツイストされたシールドテープ５１１が巻き付けられて被覆される。外周に巻き付けられたシールドテープ５１１の外周には、更に絶縁樹脂テープ５１３が巻き付けられている。
【０００３】
上記シールド線５０１は、図８（Ａ）〜（Ｃ）に示す形成工程により形成される。
先ず、図８（Ａ）に示すように、コア線５０７とドレン線５０９とを平行に配置し、その間にシールドテープ５１１を配置する。
ついで、図８（Ｂ）に示すように、コア線５０７、ドレン線５０９、シールドテープ５１１を一体として長さ方向の一端側から捩って（即ち、ツイストして）、シールドテープ５１１を挟んだ状態でコア線５０７とドレン線５０９とをツイスト電線とする。このツイスト作業は、コア線５０７とドレン線５０９とを把持してツイスト線とすると、シールドテープ５１１がツイスト線となるコア線５０７とドレン線５０９の外周に巻き込まれる。これにより、コア線５０７とドレン線５０９のいずれも、その全外周面がシールドテープ５１１で被覆されることになる。
最後に、図８（Ｃ）に示すように、ツイストして一体化したコア線５０７、ドレン線５０９、シールドテープ５１１の外周面、即ち、外周面に位置するシールドテープ５１１の外周に絶縁樹脂テープ５１３を拝み巻状に巻き付け、端部を粘着剤で固着してシールド線５０１を形成している。
【０００４】
上記構成のシールド線５０１は、コア線５０７とドレン線５０９の間に金属箔テープを挟んでツイストした構成としているため、金属箔テープからなるシールド層はコア線５０７の外周面およびドレン線５０９の外周面にそれぞれ大きな接触面積で且つ十分な接触圧で接触させることができ、シールド性能を安定させることができる利点を有する。
【先行技術文献】
【特許文献】
【０００５】
【特許文献１】特開２０１１−１６５６３１号公報
【発明の概要】
【発明が解決しようとする課題】
【０００６】
しかしながら、上記した従来のシールド線５０１は、コア線５０７とドレン線５０９の間にシールドテープ５１１を挟んだ状態でツイストするため、シールドテープ５１１の設置に手間がかかる。また、金属箔テープであるシールドテープ５１１が外側に表出するため、車載環境を考慮した際、絶縁樹脂テープ５１３を巻く絶縁処理が必須となり、製造コストが増大する。更に、絶縁樹脂テープ５１３を巻いた場合であっても、絶縁樹脂テープ５１３の摩耗により、車体とショートする虞がある。また、シールドテープ５１１を８の字状に外周に巻き付けることからテープ幅が増大し、これによっても製造コストが増大する。更に、コア線５０７とドレン線５０９との間に線長差があると、被覆しているシールドテープ５１１の外にドレン線５０９が延長されて飛び出し、製品構造が成立しない場合等がある問題も内包している。
【０００７】
本発明は上記状況に鑑みてなされたもので、その目的は、品質を落とすことなく低コストで容易に製造できるシールド電線及びシールド電線の製造方法を提供することにある。
【課題を解決するための手段】
【０００８】
本発明に係る上記目的は、下記構成により達成される。
（１）  絶縁被覆されたコア電線及び導体が露出したドレン線と、前記コア電線及び前記ドレン線に縦添えされ、外側に絶縁層が形成され導体面となる内面同士を向き合わせるようにして前記コア電線及び前記ドレン線を包み、長手方向両端のみが前記コア電線及び前記ドレン線に固定されて前記コア電線及び前記ドレン線と共にツイストされたシールドテープと、を備えることを特徴とするシールド電線。
【０００９】
上記（１）の構成のシールド電線によれば、並列に配置したコア電線とドレン線が、縦添えされたシールドテープによって包まれ、これらコア電線、ドレン線及びシールドテープが共にツイストされている。ツイストされたコア電線及びドレン線の外周に、共にツイストされたシールドテープが巻き付けられ、コア電線及びドレン線がシールドテープによって被覆される。シールドテープは、内面の導体面が、ツイストされているコア電線及びドレン線の内、導体が露出したドレン線と導通される。また、ツイストされたシールドテープは、巻き締められることで、浮き上がりによる空隙が発生せず、露出されているドレン線に十分な接圧で導通される。コア電線及びドレン線の外周には、シールドテープの導体面によってシールド層が形成され、このシールド層とドレン線が巻き締めによって電気的に接続され、ドレン線をアース接続することによって、シールド電線はシールド効果が得られる。また、シールドテープの絶縁層が外側に配置されるので、シールド電線は、車体等に接触することによるシールド性能の低下が回避される。
【００１０】
（２）  上記（１）の構成のシールド電線であって、前記ドレン線が、前記シールドテープとツイストされる前に前記コア電線に予め巻き付けられていることを特徴とするシールド電線。
【００１１】
上記（２）の構成のシールド電線によれば、共にツイストされる前のコア電線、ドレン線及びシールドテープの内、ドレン線のみが予めコア電線に巻き付けられている。そこで、例えばコア電線が複数本であっても、その外周にドレン線が巻かれた状態となる。即ち、ドレン線は、複数のコア電線の間に埋もれない。これにより、複数のコア電線と共にツイストされたドレン線とシールドテープの導体面との接触面積が減少しない。
【００１２】
（３）  上記（１）の構成のシールド電線であって、前記ドレン線が、前記シールドテープとツイストされる前に前記コア電線と予めツイストされていることを特徴とするシールド電線。
【００１３】
上記（３）の構成のシールド電線によれば、シールドテープと共にツイストされる前のコア電線とドレン線のみが予めツイストされている。そこで、例えばコア電線とドレン線との間に線長差（寸法差）があっても、ツイストすることでその線長差を吸収することができる。即ち、シールドテープが内面同士を向き合わせるようにしてコア電線及びドレン線を包む際に、長い方の線がシールドテープから垂れ下がってしまうことがない。これにより、線長差があるコア電線とドレン線がシールドテープと共にツイストされた際にも、長い方の線がツイストされたシールドテープの間から飛び出してしまうことがない。
【００１４】
（４）  絶縁被覆された複数のコア電線及び導体が露出したドレン線と、ツイストされた前記複数のコア電線と前記ドレン線とに縦添えされ、外側に絶縁層が形成され導体面となる内面同士を向き合わせるようにして前記複数のコア電線及び前記ドレン線を包み、長手方向両端のみが前記複数のコア電線及び前記ドレン線に固定されて前記複数のコア電線のツイストの撚り戻りがキャンセルされるまで前記複数のコア電線及び前記ドレン線と共に前記複数のコア電線のツイスト撚り戻し方向にツイストされたシールドテープと、を備えることを特徴とするシールド電線。
【００１５】
上記（４）の構成のシールド電線によれば、複数のコア電線のツイストの撚り戻りがキャンセルされるまで、複数のコア電線及びドレン線と共にシールドテープが、複数のコア電線のツイスト撚り戻し方向にツイストされる（即ち、複数のコア電線のツイスト方向と逆方向にツイストされる）ことで、ツイストされた複数のコア電線の外周に、ドレン線とシールドテープが巻き付けられている。ドレン線は、ツイストされた複数の縦添えされたコア電線の外周に巻き付けられている。シールドテープも、ドレン線と共に複数のコア電線の外周に巻き付けられている。この構造は、予めツイストされた複数のコア電線が、縦添えされたドレン線及びシールドテープと共に、複数のコア電線のツイストの撚り戻りがキャンセルされるまで巻き戻される（ツイストされた複数のコア電線のツイスト撚り戻し方向にツイストされる）ことにより得られている。即ち、コア電線が複数本であっても、その外周にドレン線が巻かれた状態となる。ドレン線は、複数のコア電線の間に埋もれない。これにより、複数のコア電線と共にツイストされたドレン線と、シールドテープの導体面との接触面積が減少しない。また、ツイストの撚り戻りが解かれるまでドレン線及びシールドテープと共にツイスト撚り戻し方向にツイストされた複数のコア電線は、今度はドレン線及びシールドテープによって巻き締められる。これにより、シールド電線は、コア電線とドレン線との間の空間が絞り込まれ、細径化が実現されるとともに、シールドテープとドレン線の密着性も更に向上する。
【００１６】
（５）  絶縁被覆されたコア電線及び導体が露出したドレン線がツイストされ、
前記コア電線及び前記ドレン線に縦添えされ、外側に絶縁層が形成され導体面となる内面同士を向き合わせるようにして前記コア電線及び前記ドレン線を包み、長手方向両端のみが前記コア電線及び前記ドレン線に固定されて前記コア電線及び前記ドレン線と共に更にツイストされたシールドテープと、
を備えることを特徴とするシールド電線。
【００１７】
上記（５）の構成のシールド電線の製造方法によれば、ツイストされたコア電線とドレン線が、縦添えされたシールドテープによって包まれ、これらコア電線、ドレン線及びシールドテープが共に更にツイストされている。即ち、シールドテープ共に更にツイストされる前のコア電線とドレン線のみが予めツイストされている。そこで、コア電線とドレン線との間に線長差があっても、ツイストすることでその線長差を吸収することができる。即ち、シールドテープが導体面となる内面同士を向き合わせるようにしてコア電線及びドレン線を包む際に、長い方のドレン線又はコア電線がシールドテープから垂れ下がってしまうことがない。これにより、ドレン線とコア電線がシールドテープと共に更にツイストされた際にも、長い方のドレン線又はコア電線がツイストされたシールドテープの間から飛び出してしまうことがない。
【００１８】
（６）  絶縁被覆されたコア電線に導体が露出したドレン線を添える工程と、外側に絶縁層が形成され内面が導体面となるシールドテープを前記コア電線及び前記ドレン線に縦添えする工程と、前記シールドテープの内面同士を向き合わせるようにして前記コア電線及び前記ドレン線を包む工程と、前記コア電線及び前記ドレン線と共に前記シールドテープの長手方向両端を固定してツイストする工程と、を有することを特徴とするシールド電線の製造方法。
【００１９】
上記（６）の構成のシールド電線の製造方法によれば、シールドテープに被覆されたシールド電線が得られる。これにより、シート送りユニット、導体巻きつけ型、絶縁巻きつけ型等を備える専用のハーネス組立装置を用いずに、簡易な設備で容易にシールド電線の製造が可能となる。また、コア電線とドレン線のツイスト作業とシールド形成作業が同時にできるため、サイクルタイムが短くなり、製造コストの低減が可能となる。また、長手方向両端のみをシールドテープに包んだ状態で固定し、ツイストすれば成形が可能となるので、コア電線及びドレン線と、シールドテープの位置関係を高精度に位置決めする必要がなく、セット作業が容易となる。シールドテープはコア電線とドレン線を挟むように包んで巻き込むため、８の字状に巻き付ける従来のものと比較しテープ幅が小さくなり、部材費の削減が可能となる。更に、自動端子圧着されたコア電線及びドレン線を使用してシールド電線が製造できるため、後加工の削減が可能となる。
【発明の効果】
【００２０】
本発明に係るシールド電線によれば、品質を落とすことなく低コストで容易に製造できる。
本発明に係るシールド電線の製造方法によれば、ツイスト機構があればシールド電線の製造が可能なため、設備を簡素にでき、品質を落とすことなく低コストで容易にシールド電線を製造できる
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】（ａ）は本発明の第１実施形態に係るシールド電線の側面図、（ｂ）は絶縁テープが全ての外周に巻かれたシールド電線の側面図、（ｃ）はシールド電線を絶縁テープの位置で切断した断面図である。
【図２】（ａ）は第１実施形態に係るシールド電線の並列配置工程の正面図、（ｂ）は（ａ）の側面図、（ｃ）はクランプ工程の正面図、（ｄ）は（ｃ）の側面図、（ｅ）はシールドテープとのツイスト工程の正面図、（ｆ）は（ｅ）の側面図である。
【図３】（ａ）は本発明の第２実施形態に係るシールド電線の並列配置工程の正面図、（ｂ）は（ａ）の側面図、（ｃ）はドレン線の巻き付け工程の正面図、（ｄ）は（ｃ）の側面図、（ｅ）はクランプ工程の正面図、（ｆ）は（ｅ）の側面図、（ｇ）はシールドテープツイスト工程の正面図、（ｈ）は（ｇ）の側面図である。
【図４】（ａ）は本発明の第３実施形態に係るシールド電線の並列配置工程の正面図、（ｂ）は（ａ）の側面図、（ｃ）は複数のコア電線のツイスト工程の正面図、（ｄ）は（ｃ）の側面図、（ｅ）はクランプ工程の正面図、（ｆ）は（ｅ）の側面図、（ｇ）はシールドテープとのツイスト工程の正面図、（ｈ）は（ｇ）の側面図である。
【図５】（ａ）は本発明の第４実施形態に係るシールド電線の並列配置工程の正面図、（ｂ）は（ａ）の側面図、（ｃ）はドレン線とコア電線のツイスト工程の正面図、（ｄ）は（ｃ）の側面図、（ｅ）はクランプ工程の正面図、（ｆ）は（ｅ）の側面図、（ｇ）はシールドテープとのツイスト工程の正面図、（ｈ）は（ｇ）の側面図である。
【図６】（ａ）は比較例に係るシールド電線の並列配置工程の正面図、（ｂ）はクランプ工程の正面図、（ｃ）はシールドテープとのツイスト工程の正面図である。
【図７】従来のシールド線を示し、（Ａ）は斜視図、（Ｂ）は（Ａ）のＡ−Ａ線断面図、（Ｃ）は（Ａ）のＢ−Ｂ線断面図、（Ｄ）は（Ａ）のＣ−Ｃ線断面図である。
【図８】（Ａ）〜（Ｃ）は、従来のシールド線の形成工程を示す説明図である。
【発明を実施するための形態】
【００２３】
以下、本発明に係る実施形態を図面を参照して説明する。
図１（ａ）〜（ｃ）に示すように、本第１実施形態に係るシールド電線１１は、コア電線１３と、ドレン線１５と、シールドテープ１７と、を主要な部材として備える。これに加え、シールド電線１１の長手方向両端、或いは全周に巻かれる絶縁テープ１９が使用されてもよい。
【００２４】
コア電線１３は、銅系金属線からなる素線をよりあわせた芯線２１が絶縁樹脂層２３で被覆されている。  ドレン線１５は、導体２５である銅系金属線からなる素線のより線のみ、あるいは銅系金属線からなる単芯線が絶縁樹脂層２７で被覆されている。ドレン線１５は、例えば長手方向両端以外の絶縁樹脂層２７が除去（皮剥き）され、導体２５が露出される。ドレン線１５の端末の導体２５には、アース端子あるいはコネクタ端子を予め圧着できる。なお、導体２５は銅系金属線からなる素線に限らず、アルミニウム又はアルミニウム合金製の素線でもよい。
シールドテープ１７は、導体層と、この導体層に積層された絶縁層と、を備えた長尺のテープ状に形成される。
【００２５】
シールドテープ１７は、コア電線１３及びドレン線１５に縦添えされる。縦添えされたシールドテープ１７は、絶縁層が外側となり、導体面２９となる内面同士を向き合わせるようにしてコア電線１３及びドレン線１５を包み、長手方向両端のみがコア電線１３及びドレン線１５に固定されて、コア電線１３及びドレン線１５と共にツイストされている。
【００２６】
次に、上記構成を有するシールド電線１１の製造方法を説明する。
本実施形態のシールド電線１１の製造方法は、絶縁被覆されたコア電線１３に導体２５が露出したドレン線１５を添える工程と、外側に絶縁層が形成され内面が導体面２９となるシールドテープ１７をコア電線１３及びドレン線１５に縦添えする工程（図２（ａ）参照）と、シールドテープ１７の内面同士を向き合わせるようにしてコア電線１３及びドレン線１５を包む工程（図２（ｃ）参照）と、コア電線１３及びドレン線１５と共にシールドテープ１７の長手方向両端を固定してシールドテープ１７とツイストする工程（図２（ｅ）参照）と、を有する。即ち、コア電線１３とドレン線１５のツイスト作業と同時にシールドテープ１７が巻き付けられる。
【００２７】
より具体的には次の５つのステップからなる。
第１ステップでは、図２（ａ）に示すように、コア電線１３とドレン線１５を並列に配置し、外側に絶縁層が形成され内面が導体面２９となるシールドテープ１７を縦添えする。
第２ステップでは、図２（ｃ）に示すように、両端末部のみコア電線１３及びドレン線１５を包んだ状態でシールドテープ１７を固定する。
第３ステップでは、図２（ｅ）に示すように、片端(両端でもよい)を回転させることで、コア電線１３とドレン線１５の撚り（ツイスト）と同時に、シールドテープ１７が外周に巻き付けられる。
【００２８】
第４ステップでは、コア電線１３とシールドテープ１７をツイストした後に、撚り戻しをすることで、コア電線１３とシールドテープ１７の撚り戻りを防止する。
第５ステップでは、シールドテープ１７が外周に巻かれた状態で、端末部または全長(仕様に応じて)に絶縁テープ１９を巻きつける。絶縁テープ１９の巻き方は、縦添え巻き、らせん巻き、拝み巻き等の何れでもよい。
【００２９】
本第１実施形態に係るシールド電線１１によれば、並列に配置したコア電線１３とドレン線１５が、縦添えされたシールドテープ１７によって包まれ、これらコア電線１３及びドレン線１５とシールドテープ１７とが共にツイストされている。ツイストされたコア電線１３及びドレン線１５の外周には、共にツイストされたシールドテープ１７が巻き付けられ、コア電線１３及びドレン線１５がシールドテープ１７によって被覆される。
【００３０】
シールドテープ１７は、内面の導体面２９が、ツイストされているコア電線１３及びドレン線１５の内、導体２５が露出したドレン線１５と導通される。また、ツイストされたシールドテープ１７は、巻き締められることで、浮き上がりによる空隙が発生せず、露出されているドレン線１５に十分な接圧で導通される。コア電線１３及びドレン線１５の外周には、シールドテープ１７の導体面２９によってシールド層が形成され、このシールド層とドレン線１５が巻き締めによって電気的に接続され、ドレン線をアース接続することによって、シールド電線１１はシールド効果が得られる。また、シールドテープ１７の絶縁層が外側に配置されるので、シールド電線１１は車体等に接触することによるシールド性能の低下が回避される。
【００３１】
また、本第１実施形態に係るシールド電線１１の製造方法によれば、コア電線１３にドレン線１５を添え、これをシールドテープ１７で包み、長手方向両端を固定してツイストすることで、シールドテープ１７に被覆されたシールド電線１１が得られる。これにより、シート送りユニット、導体巻きつけ型、絶縁巻きつけ型等を備える専用のハーネス組立装置を用いずに、簡易な設備で容易にシールド電線１１の製造が可能となる。また、コア電線１３とドレン線１５のツイスト作業とシールド形成作業が同時にできるため、サイクルタイムが短くなり、製造コストの低減が可能となる。
【００３２】
また、長手方向両端のみをシールドテープ１７に包んだ状態で固定し、ツイストすれば成形が可能となるので、コア電線１３及びドレン線１５と、シールドテープ１７の位置関係を高精度に位置決めする必要がなく、セット作業が容易となる。シールドテープ１７はコア電線１３とドレン線１５を挟むように包んで巻き込むため、８の字状に巻き付ける従来のシールド線５０１（図７（ａ）〜（ｄ）参照）と比較しテープ幅が小さくなり、部材費の削減が可能となる。更に、自動端子圧着されたコア電線１３及びドレン線１５を使用してシールド電線１１が製造できるため、後加工の削減が可能となる。
【００３３】
次に、本発明の第２実施形態に係るシールド電線３１を説明する。
なお、以下の本第２実施形態の説明において、図１、図２に示した第１実施形態のシールド電線１１の部材と同等の部材には同一の符号を付し重複する説明は省略する。
本第２実施形態に係るシールド電線３１は、図３（ｃ）に示すように、ドレン線１５が、ツイストされる前にコア電線１３に予め巻き付けられている。これ以外の構造、及び製造方法は、上記した第１実施形態のシールド電線１１と同じである。
【００３４】
本第２実施形態に係るシールド電線３１によれば、共にツイストされる前のコア電線１３、ドレン線１５及びシールドテープ１７の内、ドレン線１５のみが予めコア電線１３に巻き付けられている。そこで、例えばコア電線１３が複数本であっても、その外周にドレン線１５が巻かれた状態となる。即ち、ドレン線１５は、複数のコア電線１３の間に埋もれない。これにより、複数のコア電線１３と共にツイストされたドレン線１５とシールドテープ１７の導体面２９との接触面積が減少しない。また、コア電線１３とドレン線１５に寸法差があっても、先にコア電線１３をツイストするまたはドレン線１５を巻き付ける等の処理で、寸法差を解消することができる。
【００３５】
次に、本発明の第３実施形態に係るシールド電線３３を説明する。
なお、以下の本第３実施形態の説明において、上記第１実施形態のシールド電線１１の部材と同等の部材には同一の符号を付し重複する説明は省略する。
本第３実施形態に係るシールド電線３３は、先ず、図４（ａ）に示す複数（本実施形態３では２本）のコア電線１３が、図４（ｃ）に示すようにツイストされた状態で、ツイストされていないドレン線１５に縦添えされる。
通常、ツイストされた複数の電線には、長手方向両端部のクランプ固定が解除されると、電線自体のスプリングバックにより撚り戻りが生じる。そこで、スプリングバックによる回転戻り分を予め撚り戻して（逆回転して）、ツイスト電線にスプリングバックにより撚り戻りが生じるのを防止する撚り戻し処理が施されるのが一般的である。
そこで、図４（ｃ）に示す２本のコア電線１３は、ツイストされただけで撚り戻し処理が施されていない状態であり、これにドレン線１５が縦添えされる。更に、これらコア電線１３及びドレン線１５に、シールドテープ１７が更に縦添えされる。縦添えされるシールドテープ１７は、図４（ｅ）に示すように、外側に絶縁層が形成され導体面２９となる内面同士を向き合わせるようにしてコア電線１３及びドレン線１５を包み、長手方向両端のみがコア電線１３及びドレン線１５と共にクランプ固定される。
そして、図４（ｇ）に示すように、撚り戻し処理による２本のコア電線１３のツイストの撚り戻りがキャンセルされるまで、２本のコア電線１３及びドレン線１５と共にシールドテープ１７が、２本のコア電線１３のツイスト撚り戻し方向にツイストされる。
【００３６】
本第３実施形態に係るシールド電線３３によれば、２本のコア電線１３のツイストの撚り戻りがキャンセルされるまで、２本のコア電線１３及びドレン線１５と共にシールドテープ１７が、２本のコア電線１３のツイスト撚り戻し方向にツイストされる（即ち、２本のコア電線１３のツイスト方向と逆方向にツイストされる）ことで、ツイストされた２本のコア電線１３の外周に、ドレン線１５とシールドテープ１７が巻き付けられている。ドレン線１５は、ツイストされた２本の縦添えされたコア電線１３の外周に巻き付けられている。シールドテープ１７も、ドレン線１５と共にコア電線１３の外周に巻き付けられている。この構造は、予めツイストされた２本のコア電線１３が、縦添えされたドレン線１５及びシールドテープ１７と共に、２本のコア電線１３のツイストの撚り戻りがキャンセルされるまで巻き戻される（ツイストされた２本のコア電線１３のツイスト撚り戻し方向にツイストされる）ことにより得られている。即ち、コア電線１３が２本であっても、その外周にドレン線１５が巻かれた状態となる。ドレン線１５は、コア電線１３の間に埋もれない。これにより、２本のコア電線１３と共にツイストされたドレン線１５と、シールドテープ１７の導体面２９との接触面積が減少しない。
【００３７】
また、ツイストの撚り戻りが解かれるまでドレン線１５及びシールドテープ１７と共にツイスト撚り戻し方向にツイストされた２本のコア電線１３は、今度はドレン線１５及びシールドテープ１７によって巻き締められる。これにより、シールド電線３３は、コア電線１３とドレン線１５との間の空間が絞り込まれ、細径化が実現されるとともに、シールドテープ１７とドレン線１５の密着性も更に向上する。
【００３８】
次に、本発明の第４実施形態に係るシールド電線３５を説明する。また、本第４実施形態の作用効果を明確にするため、比較例のシールド電線４０１を合わせて説明する。
なお、以下の本第４実施形態及び比較例の説明において、図３に示した第２実施形態のシールド電線３１の部材と同等の部材には同一の符号を付し重複する説明は省略する。
本第４実施形態に係るシールド電線３５は、図５（ｃ）に示すように、ドレン線１５が、シールドテープ１７とツイストされる前にコア電線１３と予めツイストされている。これ以外の構造、及び製造方法は、上記した第２実施形態のシールド電線１１と同じである。
【００３９】
本第４実施形態に係るシールド電線３５によれば、シールドテープ１７共にツイストされる前のコア電線１３とドレン線１５のみが予めツイストされている。そこで、図５（ａ）に示すようにドレン線１５がコア電線１３よりも長く、コア電線１３とドレン線１５との間に線長差があっても、ツイストすることでその線長差を吸収することができる。即ち、シールドテープ１７が導体面２９となる内面同士を向き合わせるようにしてコア電線１３及びドレン線１５を包む際に、図５（ｅ）に示すように長い方のドレン線１５がシールドテープ１７から垂れ下がってしまうことがない。これにより、ドレン線１５とコア電線１３がシールドテープ１７と共にツイストされた際にも、長い方のドレン線１５がツイストされたシールドテープ１７の間から飛び出してしまうことがない。
【００４０】
これに対し、比較例のシールド電線４０１は、図６（ａ）に示すようにドレン線１５がコア電線１３よりも長く、コア電線１３とドレン線１５との間に線長差があると、シールドテープ１７が導体面２９となる内面同士を向き合わせるようにしてコア電線１３及びドレン線１５を包む際に、図６（ｂ）に示すように長い方のドレン線１５がシールドテープ１７から垂れ下がってしまう可能性がある。これにより、ドレン線１５とコア電線１３とがシールドテープ１７と共にツイストされた際には、図６（ｃ）に示すように長い方のドレン線１５がツイストされたシールドテープ１７の間から飛び出してしまう。
【００４１】
従って、上述した各実施形態に係るシールド電線１１、シールド電線３１、シールド電線３３及びシールド電線３５によれば、品質を落とすことなく低コストで容易に製造できる。
更に、上述した各本実施形態に係るシールド電線１１、シールド電線３１、シールド電線３３の製造方法によれば、ツイスト機構があれば製造が可能なため、設備を簡素にでき、品質を落とすことなく低コストで容易にシールド電線を製造できる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４２】
１１…シールド電線
１３…コア電線
１５…ドレン線
１７…シールドテープ
２５…導体
２９…導体面
【図１】
2015079665.tif 000003
【図２】
2015079665.tif 000004
【図３】
2015079665.tif 000005
【図４】
2015079665.tif 000006
【図５】
2015079665.tif 000007
【図６】
2015079665.tif 000008
【図７】
2015079665.tif 000009
【図８】
2015079665.tif 000010